(57)【要約】【課題】  ケーブル接続部を確実且つコンパクトに保護し、また、防塵・防滴性能の向上を図り、さらには、絶縁状態を良好に維持することが可能な直線接続部保護部材を提供する。【解決手段】  直線接続部保護部材２１は、一方及び他方の単心ケーブル２３同士を直線的に接続してなるケーブル接続部２４を他のケーブル接続部２４に対して隔絶するセパレータ２７と、両端部にキャップ取付部３５を有するとともに内部にセパレータ２７に対する収容部３６を有する筒状の本体２８と、ケーブル挿通孔３８を有しこのケーブル挿通孔３８を介して一方の単心ケーブル２３及び他方の単心ケーブル２３に予め各々スライド自在に装着される一対のケーブル保持部材２９と、このケーブル保持部材２９を内部に収めた状態でキャップ取付部３５に各々取り付けられる一対のキャップ３１と、を備える。【選択図】    図１
2006304497.tif 000002
【特許請求の範囲】
【請求項１】
一方及び他方の単心ケーブル同士を直線的に接続してなるケーブル接続部を他のケーブル接続部に対して隔絶するセパレータと、
両端部にキャップ取付部を有するとともに内部に前記セパレータに対する収容部を有する筒状の本体と、
ケーブル挿通孔を有し該ケーブル挿通孔を介して前記一方の単心ケーブル及び前記他方の単心ケーブルに予め各々スライド自在に装着される一対のケーブル保持部材と、
該ケーブル保持部材を内部に収めた状態で前記キャップ取付部に各々取り付けられる一対のキャップと、
を備えて構成する、又は、
前記ケーブル保持部材を一体化した前記キャップと、前記セパレータと、前記本体と、を備えて構成する
ことを特徴とする直線接続部保護部材。
【請求項２】
請求項１に記載の直線接続部保護部材において、
前記セパレータに、円周方向に均等な間隔の隔壁を形成する
ことを特徴とする直線接続部保護部材。
【請求項３】
請求項１又は請求項２に記載の直線接続部保護部材において、
前記セパレータに、前記一方の単心ケーブル及び前記他方の単心ケーブルの各々を差し込んで保持するケーブル差し込み保持部を形成する
ことを特徴とする直線接続部保護部材。
【請求項４】
請求項１ないし請求項３いずれか記載の直線接続部保護部材において、
防水パッキンを更に備え、該防水パッキンを前記ケーブル保持部材の前記セパレータ側に配置する
ことを特徴とする直線接続部保護部材。
【請求項５】
請求項４に記載の直線接続部保護部材において、
前記ケーブル保持部材の前記ケーブル挿通孔をテーパ状に形成し、前記防水パッキンには前記ケーブル挿通孔に対して差し込まれる凸部を形成する
ことを特徴とする直線接続部保護部材。
【発明の詳細な説明】
【技術分野】
【０００１】
本発明は、単心ケーブル同士を直線的に接続してなるケーブル接続部を保護するための直線接続部保護部材に関する。
【背景技術】
【０００２】
例えば、集合住宅の屋内配線に用いられるブランチケーブルの単心ケーブル同士を直線的に接続してなるケーブル接続部を保護するための直線接続部保護部材としては、下記特許文献１に開示された技術が知られている。
【０００３】
図５において、下記特許文献１に開示された直線接続部保護部材１は、コネクタ２を用いて一方の単心ケーブル３及び他方の単心ケーブル４の各導体５を接続するとともに、この接続部分を絶縁パテシート６で絶縁処理してなるケーブル接続部７を覆う二つ割り形状の保護カバー８と、この保護カバー８の両端及び中間に取り付けられる結束バンド９とを備えて構成されている。
【特許文献１】特開２０００−５９９７８号公報  （第２頁、第１図）
【発明の開示】
【発明が解決しようとする課題】
【０００４】
上記ブランチケーブルは、単心ケーブルを３条撚り合わせてなるトリプレックス形に形成されている。従って、上記従来技術にあっては、ブランチケーブルを用いる場合に直線接続部保護部材１が３個必要になることから、次のような幾つかの問題点を有している。
【０００５】
直線接続部保護部材１は、一方の単心ケーブル３及び他方の単心ケーブル４よりも直径が大きくなる構造であることから、この直線接続部保護部材１が３個同じ位置に配置されると、ぶつかり合いが生じて信頼性に影響を来してしまうという問題点を有している。すなわち、ぶつかり合いが生じると直線接続部保護部材１の位置ズレが起こり易くなり、ケーブル接続部７の保護機能が損なわれる恐れがあるからである。
【０００６】
３個の直線接続部保護部材１の位置を図６に示すようにずらして配置すれば、上記問題点の対策をすることが可能になる。しかしながら、直線接続部保護部材１の布設に必要となる長さが３倍になることから、ブランチケーブルは上記布設部分の範囲で撚り合わせが崩れた状態になってしまうという問題点を有している。
【０００７】
その他、直線接続部保護部材１は、保護カバー８の両端及び中間を結束バンド９で締め付けるだけの構造であることから、保護カバー８の重なり部分に隙間が生じ易く、この結果、防塵・防滴性能が劣るという問題点を有している。また、直線接続部保護部材１は、接続部分を絶縁パテシート６で絶縁処理する必要のある構造であることから、作業者の熟練度によって絶縁状態の善し悪しが決まってしまうという問題点を有している。
【０００８】
本発明は、上述した事情に鑑みてなされたもので、ケーブル接続部を確実且つコンパクトに保護し、また、防塵・防滴性能の向上を図り、さらには、絶縁状態を良好に維持することが可能な直線接続部保護部材を提供することを課題とする。
【課題を解決するための手段】
【０００９】
上記課題を解決するためになされた請求項１記載の本発明の直線接続部保護部材は、一方及び他方の単心ケーブル同士を直線的に接続してなるケーブル接続部を他のケーブル接続部に対して隔絶するセパレータと、両端部にキャップ取付部を有するとともに内部に前記セパレータに対する収容部を有する筒状の本体と、ケーブル挿通孔を有し該ケーブル挿通孔を介して前記一方の単心ケーブル及び前記他方の単心ケーブルに予め各々スライド自在に装着される一対のケーブル保持部材と、該ケーブル保持部材を内部に収めた状態で前記キャップ取付部に各々取り付けられる一対のキャップと、を備えて構成する、又は、前記ケーブル保持部材を一体化した前記キャップと、前記セパレータと、前記本体と、を備えて構成することを特徴としている。
【００１０】
このような特徴を有する本発明によれば、セパレータによりケーブル接続部が他のケーブル接続部と隔絶される。この隔絶された各ケーブル接続部は、セパレータと共に本体に収納される。本体には、一対のキャップが各々取り付けられる。一対のキャップは、ケーブル保持部材を別体化した場合において、このケーブル保持部材を内部に収めた状態で本体に取り付けられる。ケーブル保持部材は、キャップに対して一体又は別体のいずれであっても、直線接続部保護部材の位置ズレ防止に寄与する。本発明によれば、一方及び他方の単心ケーブル同士を直線的に接続してなる各ケーブル接続部が一括して保護されるとともに、各ケーブル接続部が隔絶されるような構造になる。また、本発明によれば、所定の位置で位置ズレすることなく各ケーブル接続部が保護されるような構造になる。さらに、本発明によれば、本体、ケーブル保持部材、キャップによって各ケーブル接続部が防塵性能を期待した状態で覆われるような構造になる。
【００１１】
請求項２記載の本発明の直線接続部保護部材は、請求項１に記載の直線接続部保護部材において、前記セパレータに、円周方向に均等な間隔の隔壁を形成することを特徴としている。
【００１２】
このような特徴を有する本発明によれば、セパレータの隔壁によりケーブル接続部が他のケーブル接続部と確実且つ良好な位置関係を保って隔絶される。また、セパレータの隔壁により各単心ケーブル間の絶縁距離が確保される。
【００１３】
請求項３記載の本発明の直線接続部保護部材は、請求項１又は請求項２に記載の直線接続部保護部材において、前記セパレータに、前記一方の単心ケーブル及び前記他方の単心ケーブルの各々を差し込んで保持するケーブル差し込み保持部を形成することを特徴としている。
【００１４】
このような特徴を有する本発明によれば、一方の単心ケーブル及び他方の単心ケーブルが各々、ケーブル差し込み保持部によって保持される。一方の単心ケーブル及び他方の単心ケーブルが保持されると、各ケーブル接続部の位置が安定する。ケーブル差し込み保持部により各単心ケーブル間の絶縁距離が確保される。
【００１５】
請求項４記載の本発明の直線接続部保護部材は、請求項１ないし請求項３いずれか記載の直線接続部保護部材において、防水パッキンを更に備え、該防水パッキンを前記ケーブル保持部材の前記セパレータ側に配置することを特徴としている。
【００１６】
このような特徴を有する本発明によれば、一対のキャップが各々本体に取り付けられると、ケーブル保持部材がキャップに対して別体の場合には、本体とキャップとの間にケーブル保持部材及び防水パッキンが保持され、この保持された防水パッキンが防滴性能の向上に寄与する。一方、ケーブル保持部材がキャップに対して一体の場合には、本体とキャップとの間に防水パッキンのみが保持され、この保持された防水パッキンが防滴性能の向上に寄与する。
【００１７】
請求項５記載の本発明の直線接続部保護部材は、請求項４に記載の直線接続部保護部材において、前記ケーブル保持部材の前記ケーブル挿通孔をテーパ状に形成し、前記防水パッキンには前記ケーブル挿通孔に対して差し込まれる凸部を形成することを特徴としている。
【００１８】
このような特徴を有する本発明によれば、キャップ取り付け時において、キャップの取り付け状態が完了方向へ進むにつれて、防水パッキンの凸部がケーブル保持部材のケーブル挿通孔に押し付けられる。
【発明の効果】
【００１９】
請求項１に記載された本発明によれば、ケーブル接続部を確実且つコンパクトに保護することができるという効果を奏する。また、防塵性能の向上を図るとともに絶縁状態を良好に維持することができるという効果を奏する。
【００２０】
請求項２、３に記載された本発明によれば、絶縁状態をより一層良好に維持することができるという効果を奏する。
【００２１】
請求項４に記載された本発明によれば、防滴性能の向上を図ることができるという効果を奏する。また、作業者の熟練度に関係なく施工することができるという効果を奏する。
【００２２】
請求項５に記載された本発明によれば、防滴性能をさらに高めることができるという効果を奏する。
【発明を実施するための最良の形態】
【００２３】
以下、図面を参照しながら説明する。
図１は本発明の直線接続部保護部材の一実施の形態を示す分解斜視図である。また、図２は各ケーブル接続部をセパレータに保持するとともにキャップ内部にケーブル保持部材を及び防水パッキンを収めた状態を示す分解斜視図、図３は直線接続部保護部材の斜視図、図４は直線接続部保護部材の端部の断面図である。
【００２４】
図１において、引用符号２１は本発明の直線接続部保護部材を示している。直線接続部保護部材２１は、屋内配線に用いられる一対のブランチケーブル２２の端末同士を接続してなる接続部分の全体を覆ってこれを保護することができるように構成されている。具体的には、ブランチケーブル２２の単心ケーブル２３と相手側のブランチケーブル２２の単心ケーブル２３とを直線的に接続してなるケーブル接続部２４を３つ一括して保護することができるように構成されている。
【００２５】
各ブランチケーブル２２は、単心ケーブル２３を３条撚り合わせてなるトリプレックス形に形成されている。各単心ケーブル２３の端末は、所定の長さで被覆が除去されている。すなわち、各単心ケーブル２３の端末からは、導体２５が露出している。各単心ケーブル２３の導体２５は、金属スリーブ２６の内部に差し込まれた後、この金属スリーブ２６の圧着によって接続されている。
【００２６】
本発明の直線接続部保護部材２１は、セパレータ２７と、本体２８と、一対のケーブル保持部材２９、２９と、一対の防水パッキン３０、３０と、一対のキャップ３１、３１とを備えて構成されている（一例であるものとする。例えばケーブル保持部材２９をキャップ３１に一体化し、構成を少なくしても良いものとする）。上記各構成部材は、それぞれ絶縁性を有している。以下、図１ないし図４を参照しながら上記各構成部材について説明する。
【００２７】
セパレータ２７は、３つのケーブル接続部２４を隔絶する樹脂部品であって、一対の円板状の端部３２、３２と、この端部３２、３２の間に連成される３つの隔壁３３とを有している。各端部３２は、厚肉となるように形成されている。各端部３２には、３つのケーブル差し込み保持部３４が形成されている。
【００２８】
各ケーブル差し込み保持部３４は、単心ケーブル２３を保持することができるようなスリット状に形成されている。各ケーブル差し込み保持部３４は、円周方向に均等な間隔で形成されている。各ケーブル差し込み保持部３４は、単心ケーブル２３の差し込み状態を目安にすることでケーブル接続部２４の位置管理をすることができるという利点を有している。３つの隔壁３３は、３つのケーブル接続部２４を隔絶することができるように配置されている。３つの隔壁３３は、上記円周方向に均等な間隔で配置されている。
【００２９】
このようなセパレータ２７の構造により、各単心ケーブル２３は絶縁距離が確保されるようになっている。セパレータ２７の全長は、特に限定するものではないが、本体２８の全長と同じ長さに設定されている（ここでは全長を同じにして防水パッキン３０に対する保持部分を増大させている）。
【００３０】
本体２８は、筒状に形成される樹脂部品であって、この両端部にはキャップ取付部３５がそれぞれ形成されている。各キャップ取付部３５は、雄ねじ形状に形成されている。本体２８の内径は、両端部間で均一となるように形成されている。このような本体２８の内部には、セパレータ２７に対する収容部３６が形成されている。本体２８の外面は、作業者の手に対する滑り止めとなるような面３７が連続して多数形成されている。
【００３１】
ケーブル保持部材２９は、キャップ３１の内部に納められる樹脂部品であって、円板状に形成されている。ケーブル保持部材２９は、厚肉となるように形成されている。ケーブル保持部材２９には、３つのケーブル挿通孔３８が形成されている。各ケーブル挿通孔３８は、ケーブル保持部材２９の表裏を貫通するように形成されている。各ケーブル挿通孔３８は、各中心点を結ぶと正三角形を描くような位置に配置されている。
【００３２】
各ケーブル挿通孔３８は、セパレータ２７側の直径の方がこの反対側の直径よりも大きな径となるように形成されている。すなわち、各ケーブル挿通孔３８は、テーパ状の面を有するように貫通形成されている。各ケーブル挿通孔３８は、単心ケーブル２３の直径よりも若干大きな径となるように形成されている（一例であるものとする。単心ケーブル２３の直径と同一でも可能）。各ケーブル挿通孔３８には、単心ケーブル２３が差し込まれるようになっている。
【００３３】
防水パッキン３０は、本体２８のキャップ取付部３５及びセパレータ２７の端部３２と、ケーブル保持部材２９との間に挟み込まれて、直線接続部保護部材２１の防滴性能を高めるためのゴム製（一例であるものとする）のパッキンであって、円板状のパッキン本体３９と、このパッキン本体３９に連成される３つの凸部４０とを有している（防水パッキン３０は必要に応じて設定されるものとする）。パッキン本体３９は、薄肉となるように形成されている。パッキン本体３９の直径は、本体２８のキャップ取付部３５、セパレータ２７の端部３２、及びケーブル保持部材２９の直径よりも若干大きくなるように設定されている（ここではキャップ取付部３５における雄ねじの頂部位置を基準にした直径と同じ直径に設定されている）。
【００３４】
各凸部４０は、ケーブル保持部材２９のケーブル挿通孔３８の位置に合わせて形成されている。各凸部４０には、単心ケーブル２３に対するケーブル挿通孔４１が形成されている。各凸部４０のケーブル挿通孔４１は、単心ケーブル２３の直径よりも若干小さな径で貫通するように形成されている。
【００３５】
各凸部４０は、ケーブル保持部材２９の対応するケーブル挿通孔３８に差し込むことができるように形成されている。すなわち、各凸部４０は、ケーブル保持部材２９の対応するケーブル挿通孔３８と単心ケーブル２３との間の隙間を埋めることができるように形成されている。各凸部４０の先端は、対応するケーブル挿通孔３８のテーパ状の面に当接するとともに押し付けられて密着するように形成されている（図中の寸法ａ＜ｂ参照）。
【００３６】
キャップ３１は、本体２８のキャップ取付部３５に取り付けられる環状の樹脂部品であって、この内部にケーブル保持部材２９及び防水パッキン３０を納めることができるように形成されている。キャップ３１の内部には、ケーブル保持部材２９に対する受け部４２と、本体２８のキャップ取付部３５に螺合する雌ねじ形状の本体取付部４３とが形成されている（本体２８へのキャップ３１の取り付けは、ねじ嵌合の構造が好ましいが、これに限らないものとする。凹凸による嵌め込み式の構造でも可能）。
【００３７】
受け部４２は、キャップ３１の一方側の開口径をケーブル保持部材２９の直径よりも小さくすることにより形成されている。本体取付部４３は、キャップ３１の他方側の開口に連続するように形成されている。キャップ３１の外面は、作業者の手に対する滑り止めとなるような面４４が連続して多数形成されている。尚、本形態の説明のはじめの方でケーブル保持部材２９の一体化について挙げたが、この場合は例えばキャップ３１の一方側の開口位置、又は受け部４２の位置でケーブル保持部材２９を一体化するものとする。ケーブル保持部材２９をキャップ３１に対して一体化すると、部品点数の削減や作業性の向上に寄与することは言うまでもない。但し、ケーブルの捻れの関係から、キャップ３１のねじ込み量を小さくする必要性がある。
【００３８】
次に、本発明の直線接続部保護部材２１にて３つのケーブル接続部２４を保護する際の手順を説明する。
【００３９】
先ず、各ブランチケーブル２２の端末を左右に配置する。また、内部にケーブル保持部材２９及び防水パッキン３０を納めたキャップ３１を準備する。次に、左右それぞれの各単心ケーブル２３を、予めキャップ３１の内部に納めておいたケーブル保持部材２９及び防水パッキン３０の各ケーブル挿通孔３８及び４１に通線する。続いて、左右どちらかのブランチケーブル２２に本体２８を通線する。
【００４０】
続いて、左右の対応し合う単心ケーブル２３同士を金属スリーブ２６の圧着によって接続し、ケーブル接続部２４を３つ形成する。続いて、形成したケーブル接続部２４の位置を全長の中心にくるようにして、セパレータ２７を３つのケーブル接続部２４の間に挟み込む。この時、左右の単心ケーブル２３をセパレータ２７のケーブル差し込み保持部３４で保持し、絶縁距離を確保する。続いて、セパレータ２７の位置を基準として本体２８をスライド移動させ、本体２８によってセパレータ２７の全体を覆う。
【００４１】
最後に、セパレータ２７の位置を基準として配置した本体２８の両端部にキャップ３１をスライド移動させ、このスライドさせたキャップ３１をねじ込みにより固定する。以上により一連の作業が完了し、３つのケーブル接続部２４は本発明の直線接続部保護部材２１にて一括保護される。
【００４２】
本発明の直線接続部保護部材２１によれば、ケーブル接続部２４を確実且つコンパクトに保護することができる。また、本発明の直線接続部保護部材２１によれば、従来よりも防塵・防滴性能の向上を図ることができる（防水パッキン３０とねじ嵌合の構造により、従来例の結束バンド９（図５参照）による締め付け構造よりも高い防塵・防滴性能を期待することができる）。さらに、本発明の直線接続部保護部材２１によれば、絶縁状態を良好に維持することができる。
【００４３】
本発明の直線接続部保護部材２１によれば、布設時におけるブランチケーブル２２の撚り合わせの崩れを最小限に抑えることができる。また、本発明の直線接続部保護部材２１によれば、従来例のような絶縁パテシート６（図５参照）を用いて絶縁処理する必要性がないことから、作業者の熟練度に関係なく施工することができる。
【００４４】
その他、本発明は本発明の主旨を変えない範囲で種々変更実施可能なことは勿論である。
【図面の簡単な説明】
【００４５】
【図１】本発明の直線接続部保護部材の一実施の形態を示す分解斜視図である。
【図２】各ケーブル接続部をセパレータに保持するとともにキャップ内部にケーブル保持部材を及び防水パッキンを収めた状態を示す分解斜視図である。
【図３】直線接続部保護部材の斜視図である。
【図４】直線接続部保護部材の端部の断面図である。
【図５】従来例の直線接続部保護部材を示す構成説明図である。
【図６】従来例の直線接続部保護部材をブランチケーブルに適用した状態を示す説明図である。
【符号の説明】
【００４６】
２１  直線接続部保護部材
２２  ブランチケーブル
２３  単心ケーブル
２４  ケーブル接続部
２５  導体
２６  金属スリーブ
２７  セパレータ
２８  本体
２９  ケーブル保持部材
３０  防水パッキン
３１  キャップ
３２  端部
３３  隔壁
３４  ケーブル差し込み保持部
３５  キャップ取付部
３６  収容部
３７  面
３８  ケーブル挿通孔
３９  パッキン本体
４０  凸部
４１  ケーブル挿通孔
４２  受け部
４３  本体取付部
４４  面
【図１】
2006304497.tif 000003
【図２】
2006304497.tif 000004
【図３】
2006304497.tif 000005
【図４】
2006304497.tif 000006
【図５】
2006304497.tif 000007
【図６】
2006304497.tif 000008